(57)【要約】【課題】ここに提供されるのは、適正な角度で垂直支持部と連結される一方、道路交通制御用掲示板を組み付け可能である道路交通制御用掲示板装置である。【解決手段】本道路交通制御用掲示板装置は、装着された道路交通制御用掲示板支え棒に固定され、さらに台風又は車両の衝突による衝撃が本道路交通制御用掲示板に加えられたとしても元の位置に復帰できる構造になっている。かくして、本道路交通制御用掲示板装置は、台風又は車両の衝突による衝撃が本道路交通制御用掲示板に加えられることに起因して本道路交通制御用掲示板の初期固定位置が変わり、それによって本道路交通制御用掲示板の機能を喪失するという現象を防止するものである。【選択図】図２
2009503719.tif 000002
【特許請求の範囲】
【請求項１】
適正な角度で垂直支持部と連結される道路交通制御用掲示板支え棒に挿入されるような挿入溝と、適正な角度で回転防止ねじに挿入可能な穴と、を有する管状弾性体と、
前記管状弾性体の上部分で組み付けられて前記管状弾性体を封入する半円形上部クランプであって、以下に説明する下部クランプを固定するためにそれぞれのボルトが貫通固定されるボルト穴を有する締め付け具（前記半円形上部クランプから延出する）と、回転防止ねじを適正な角度で挿入可能な穴と、以下に説明する引張ばねを前記半円形上部クランプの上部分に懸装可能な留め金と、を含む前記管状弾性体を封入する半円形上部クランプと、
前記上部クランプとヒンジ連結される下部フラットクランプであって、前記上部クランプを固定するためにそれぞれのボルト５０が貫通固定されるボルト穴を有することを特徴とする下部フラットクランプと、
道路交通制御用掲示板を支持するため、前記下部クランプと前記上部クランプとにヒンジ連結方式で組み付けられている支持プレートと、
前記上部クランプ、前記下部クランプ及び前記支持プレートの全てをヒンジ連結方式で組み付けるヒンジピンと、
その上部分に前記引張ばねを吊着するためのハンガー部を有し、その前部で前記道路交通制御用掲示板が固定され、さらにボルトとナットにより前記支持プレートが組み付けられている補強プレートと、
前記上部クランプの留め金と前記補強プレートのハンガー部間に組み付けられている引張ばねであって、前記道路交通制御用掲示板が移動しても垂直に復帰するように前記道路交通制御用掲示板を支持することを特徴とする引張ばねと、
さらに、前記上部クランプと前記下部クランプを強固に締め付けるボルトとナットとを含む
道路交通制御用掲示板装置。
【請求項２】
プレート状又はロッド形状のストッパが、前記上部クランプの上部分に追加固定されているので、設置された前記道路交通制御用掲示板が前記上部クランプに向かって傾斜しないようになっていることを特徴とする
請求項１に記載の道路交通制御用掲示板装置。
【請求項３】
前記管状弾性体の材料がゴム、スポンジ、及びウレタンから選択されることを特徴とする
請求項１に記載の道路交通制御用掲示板装置。
【発明の詳細な説明】
【技術分野】
【０００１】
本発明は、道路交通制御用掲示板装置に関するものであり、特に、自動復帰機能を有する道路交通制御用掲示板装置に関するものである。
【背景技術】
【０００２】
道路交通制御用掲示板は車両の運転において必要不可欠な要素である。  
道路交通制御用掲示板がドライバーの視野において最適に認識される必要があるので、道路端に垂直に構設される垂直支持部に対して適正な角度で固定されるのが通常である。
【０００３】
例として、以下に従来型道路交通制御用掲示板装置を図１の一部を参照して説明する。  
従来型道路交通制御用掲示板装置の場合、道路交通制御用掲示板４０は、単に道路交通制御用掲示板支え棒１に固定され、さらにＵボルトとナットを用いて道路上に延設される。  
したがって、組立工数を低減することは可能であるが、その耐久性は非常に低く、次に挙げる問題が引き起こされる。
【０００４】
つまり、上述のように、従来型道路交通制御用掲示板装置は、前記Ｕボルトとナットを用いて前記交通掲示板支え棒１により前記道路交通制御用掲示板４０を組み付けることによって構成される。  
かくして、台風などのために強い力が従来型道路交通制御用掲示板装置に加えられると、前記道路交通制御用掲示板４０の初期位置は変わって、前記道路交通制御用掲示板４０の前面が上向きになったり、道路に落下したり、又は斜めに懸架されるような状態になってしまう。  
その結果、前記道路交通制御用掲示板４０はその機能を喪失し、車両の安全走行に支障をきたす。
【０００５】
その一方、過剰積載する運送車両、又はクレーンや重機器などの特殊用途自動車（搬送機器）の上部分のために従来型道路交通制御用掲示板装置が衝撃を受ける場合、前記道路交通制御用掲示板４０の前面は道路方向に傾斜したり、破損したりする。  
上記のような問題は実際に起こっている。
【０００６】
このことに関して事故報告や破損報告を受ける地方自治体の道路部局は、ただちにバケット車で事故現場に赴き、初期位置が変わってしまった道路交通制御用掲示板の位置を直すか又は新しいものと交換する。  
このために道路がブロックされるので交通渋滞を引き起こし、国家的に大きな経済的損失や損害を招く。
【０００７】
一方、台風の通過後には、都心全域にわたって多数の道路交通制御用掲示板の位置が狂ってしまう。  
この場合、混乱、不安、交通渋滞などの大きな問題が起こる。  
また、長時間の修理作業はさらにさまざまな種類の大問題も引き起こす。
【０００８】
このことに関して、上記の問題を解決するため、本件発明者は２００３年１２月２６日付けで「交通制御用掲示板を回転させるための水平支持構造」と題する実用新案（申請番号２０−２００３−００４０７７３）を韓国特許庁に出願し、２００４年０４月２９日に実用新案登録第２０−０３４９９００−００００号として登録されている。
【０００９】
ちなみに、上記の登録された従来技術は既存の道路交通制御用掲示板支え棒１の構造を大いに変えるものである。  
原則として、既存の道路交通制御用掲示板支え棒１は問題を引き起こすことはないが、前記道路交通制御用掲示板支え棒１を同心となるようにコイルスプリングを実装する必要があるので、構造上の観点からすると複雑である。
【００１０】
その結果、従来技術の場合、前記道路交通制御用掲示板４０を製造して前記道路交通制御用掲示板支え棒１に組み付けることはさほど容易でないため、その製造コストを大幅に上昇させ、そのメンテナンスを困難にし、さらに、前記道路交通制御用掲示板装置の重量が大きい重いので安全性に欠ける。
【発明の開示】
【発明が解決しようとする課題】
【００１１】
上記問題を解決するため、既存の道路交通制御用掲示板支え棒１の構造をそのまま用いて、前記機能、経済性、組み立て、メンテナンス、重量などの観点から従来技術と比べて著しく改善され、かつ一般に認められている高度な自動復帰機能を有する道路交通制御用掲示板装置を提供することが本発明の目的である。
【課題を解決するための手段】
【００１２】
上記本発明の目的を達成するため、本発明の態様によれば、以下が含まれることを特徴とする道路交通制御用掲示板装置が提供される。  
適正な角度で垂直支持部と連結される道路交通制御用掲示板支え棒に挿入されるような挿入溝と、適正な角度で回転防止ねじに挿入可能な穴と、を有する管状弾性体、
前記管状弾性体の上部分で組み付けられて前記管状弾性体を封入する半円形上部クランプであって、以下に説明する下部クランプを固定するためにそれぞれのボルトが貫通固定されるボルト穴を有する締め付け具（前記半円形上部クランプから延出する）と、回転防止ねじを適正な角度で挿入可能な穴と、以下に説明する引張ばねを前記半円形上部クランプの上部分に懸装可能な留め金と、を含む前記管状弾性体を封入する半円形上部クランプ、
前記上部クランプとヒンジ連結される下部フラットクランプであって、前記上部クランプを固定するためにそれぞれのボルトが貫通固定されるボルト穴を有することを特徴とする下部フラットクランプ、
道路交通制御用掲示板を支持するため、前記下部クランプと前記上部クランプとにヒンジ連結方式で組み付けられている支持プレート、
前記上部クランプ、前記下部クランプ及び前記支持プレートの全てをヒンジ連結方式で組み付けるヒンジピン、
その上部分に前記引張ばねを吊着するためのハンガー部を有し、その前部で前記道路交通制御用掲示板が固定され、さらにボルトとナットにより前記支持プレートが組み付けられている補強プレート、
前記上部クランプの留め金と前記補強プレートのハンガー部間に組み付けられている引張ばねであって、前記道路交通制御用掲示板が移動しても垂直に復帰するように前記道路交通制御用掲示板を支持することを特徴とする引張ばね、
さらに、前記上部クランプと前記下部クランプを強固に締め付けるボルトとナットである。
【００１３】
好ましくは、プレート状又はロッド形状のストッパを前記上部クランプの上部分に追加固定し、設置された前記道路交通制御用掲示板が前記上部クランプ方向に傾斜しないようにする。
【００１４】
好ましくは、前記管状弾性体の材料は、ゴム、スポンジ、及びウレタンから選択されるものとする。
【発明を実施するための最良の形態】
【００１５】
以下、本発明の好適な実施形態に係る道路交通制御用掲示板装置を説明する。  
図面中に提示した同一参照符号は同一要素を示すものである。
【００１６】
まず、本発明に係る道路交通制御用掲示板装置は、既存の道路交通制御用掲示板支え棒１の構造を変えるものではなく、それをそのまま使用するものである。  
この点で、本発明は従来技術と大いに異なる。  
本発明は従来技術のものと比べて構造が非常に簡単であり、耐久性が優れていることをはじめとする多くの独創的な特徴持つ。
【００１７】
つまり、本発明の図１及び図２を参照すると、ゴム、スポンジ、又はウレタンから成る管状弾性体３０を単に道路交通制御用掲示板支え棒１（以下、「支え棒１」と呼ぶ。）の適切な位置に挿入することが可能である。  
図１及び図２に示すように、挿入溝３１を前記支え棒１の外面に挿入することが可能である。
【００１８】
前記管状弾性体３０の下部分は開いているため、前記管状弾性体３０を手掴みすることによって前記挿入溝３１を延長することが可能である。  
次いで、前記管状弾性体３０を単に前記支え棒１に挿入することが可能である。  
最後に、前記管状弾性体３０は、図２に示すように、前記支え棒１に緊密に固定される。
【００１９】
その一方、前記管状弾性体３０は、好ましくは前記支え棒１の直径変化に応じてさまざまな形状とサイズで作製され得るが、前記管状弾性体３０には自然な弾性があるので、前記支え棒１の直径が多少大きくても小さくても問題がないので、前記管状弾性体３０をさまざまなサイズで製造する理由はない。
【００２０】
さらに、前記支え棒１の規格と直径は実質的に同じなので、問題なしに１つの基本型管状弾性体３０のみを使用することが可能である。
【００２１】
上記のように、前記管状弾性体３０が前記支え棒１に挿入された後、手動ドリルを用いて、穴３２を介して前記支え棒ＩＩ上に穴が形成される。  
前記穴の直径により、前記支え棒１の強度が影響されることはない。  
この場合、回転防止ねじ１６の端部分を前記穴に挿入してもよいが、穴径が許容可能な場合に限る。  
ここで、前記管状弾性体３０は、穴が前記支え棒１に形成された後に、前記支え棒１と組み付けすることが可能である。
【００２２】
次に、半円上部クランプ１０が前記管状弾性体３０の上部分に位置決めされた後、前記回転防止ねじ１６は、前記管状弾性体３０の穴３２と前記上部クランプ１０の穴１３とを介して組み付けられる。  
よって、図２に示すように、前記管状弾性体３０と前記上部クランプ１０を、前記支え棒１上のそれぞれの位置に保持することが可能である。
【００２３】
次いで、前記上部クランプ１０とヒンジピン１５によってヒンジ連結方式で組み付けられている下部フラットクランプ２０は、図２に示すようにボルト５０とナット５１用いて、前記支え棒１の底部と接触し、前記支え棒１に固定されるように構成される。
【００２４】
次いで、支持プレート７０は、前記ヒンジピン１５によって、前記上部クランプ１０と前記下部クランプ２０とを用いて、ヒンジ連結方式で組み付けられる。  
次いで、道路交通制御用掲示板４０が固定される補強プレート６０は前記支持プレート６０の前に位置決めされ、ボルト４１とナット４２によって組み付けられる。  
つまり、前記支持プレート７０、前記補強プレート６０及び前記道路交通制御用掲示板４０は一体的に形成されるのである。
【００２５】
図１及び図２に示すように、引張ばね８０は、前記上部クランプ１０の留め金１４と前記補強プレート６０のハンガー部６１間に吊着されて組み付けられる。  
図２に示すように、好ましくは、プレート状又はロッド形状のストッパ９０を前記上部クランプ１０の上部分に追加固定し、設置された前記道路交通制御用掲示板４０が前記上部クランプ１０方向に傾斜しないようにする。
【００２６】
上記のように、前記回転防止ねじ１６は通常のピン、ボルト、又は環状ロッドによって交換可能である。  
ここで、事前に前記環状ロッドが前記支え棒１にはんだ付けされ固定された後、前記管状弾性体３０と前記上部クランプ１０は前記支え棒１と組み付けられ、前記環状ロッドは、それぞれの穴３２及び１３を貫通して突出する。  
しかしながら、この場合、作業が困難であることは当然予想される。
【００２７】
また、本発明の前記管状弾性体３０はその下部分で切断され、かくして前記挿入溝３１が開く。  
よって、前記下部クランプ２０は正確に前記支え棒１の底部に接触し、かくして前記道路交通制御用掲示板４０は、図２の矢印の軌道と同じくらい大きな角度で旋回することが可能になる。  
その結果、運送車両の衝突に起因する衝撃が前記道路交通制御用掲示板４０の下部分に加えられる場合、前記道路交通制御用掲示板４０の中央部分が破損しないように、前記道路交通制御用掲示板４０はその衝撃を円滑に回避する。
【００２８】
現状では、完全にパイプ形状の管状弾性体を使用することが可能である。  
また上述のように、いかなる商業的変更も本発明の技術範囲を逸脱するものではない。
【００２９】
異なる２セットの本発明に係る道路交通制御用掲示板装置が単一の道路交通制御用掲示板に使用されることも自然なことである。  
前記道路交通制御用掲示板が大型になる場合、いくつかの道路交通制御用掲示板装置を既に使用されている単一の支え棒を用いて組み付けることも可能かつ自然である。
【００３０】
上記のように、本発明に係る道路交通制御用掲示板装置は図２の状態で使用される。  
たとえ風力又は他の衝撃が、図２の状態にある前記道路交通制御用掲示板４０の前面に加えられたとしても、前記道路交通制御用掲示板４０は、前記矢印の左側方向に押されてさまざまな角度範囲内において旋回するだけである。  
その後、その風力又は他の衝撃が消滅すると、前記道路交通制御用掲示板４０は前記引張ばね８０の引張力によって元の位置に復帰する。
【００３１】
ここで、前記道路交通制御用掲示板４０が、前記道路交通制御用掲示板４０に加えられた風力や衝撃によって後方に押された理由は、前記ストッパ９０が前記上部クランプ１０に固定されているためであり、かくして、前記道路交通制御用掲示板４０の上部分は前記ヒンジピン１５により後方に押されない。
【００３２】
その一方、図２の状態において強い風が前記道路交通制御用掲示板４０の左側から右側に吹く場合でさえも、前記道路交通制御用掲示板４０は、前記道路交通制御用掲示板４０の左側に旋回されないが、その右側に旋回される。  
これもまた、前記ストッパ９０によって、前記道路交通制御用掲示板４０が前記上部クランプ１０に向かって旋回することができないためである。
【００３３】
ここで、コイルスプリングは、前記ヒンジピン１と組み付けられて、前記道路交通制御用掲示板４０をその位置に保つ。  
しかしながら、前記コイルスプリングを前記ヒンジピン１と組み付けることは必ずしも必要ではない。
【００３４】
上記のように、本発明は、たとえ衝撃が道路交通制御用掲示板に加えられても自動復帰機能を有する道路交通制御用掲示板装置を提供する。  
従来技術では、前記支え棒１の構造が変更されるが、本発明では、使用されている既存の支え棒１が変更されることはない。  
この、前記支え棒の構造を変えることなしに既存の支え棒を用いるという特徴は、それ自体独創的である。  
さらに、前記道路交通制御用掲示板装置は、前記支え棒１との簡単な組み付けや分解が可能であり、前記道路交通制御用掲示板装置の構造も非常に簡単になっている。  
よって、前記道路交通制御用掲示板装置は作製が容易である。
【００３５】
また、本発明は、従来技術と比べて、メンテナンス性に優れ、製造コストが安価であり、軽量なので、非常に容易な設置とメンテナンス作業が可能である。  
その結果、本発明は経済性が高く、著しく改善された特徴を有するものとなっている。
【００３６】
さらに、本発明品は構造上の特徴から優れた耐久性を有し、故障もほとんど発生することがないので、半永久的な使用が可能性である。  
特に、前記管状弾性体３０は、たとえ前記支え棒１の直径が多少改変されても、前記支え棒１の直径に応じて作製される必要がなく、本発明に係る道路交通制御用掲示板装置はフレキシブルに使用することができ、それによって全体的な経済性、利便性、作業性の向上への大きな貢献効果を実現する。
【００３７】
上記のように、本発明を、特に好適な実施形態に関連して説明したが、本発明は上記実施形態に限定されるものではなく、当業者であれば、本発明の真の趣旨から逸脱することなしに、種々の変更や変形が可能である。  
よって、本発明の保護性範囲は、その詳細説明によって規定されるものではなく、特許請求の範囲及び本発明の技術の趣旨によって規定されるものである。
【産業上の利用可能性】
【００３８】
上記のように、本発明は、交通制御用掲示板に使用可能な道路交通制御用掲示板装置を提供する。
【図面の簡単な説明】
【００３９】
本発明の上記及びその他の目的と利点は、下記の添付図面を参照して本発明の好適な実施形態を詳細に説明することによって、より明確になるであろう。
【図１】図１は、本発明に係る道路交通制御用掲示板装置の全体構造を示す斜視図である。
【図２】図２は、本発明に係る道路交通制御用掲示板装置の使用状態を示す断面図である。
【図１】
2009503719.tif 000003
【図２】
2009503719.tif 000004
【国際調査報告】
2009503719.tif 000005
2009503719.tif 000006